(57)【要約】      （修正有）【課題】多くの硬貨を入れた場合でも二つ折りしやすく、カード収容部を圧迫することもない二つ折り財布を提供する。【解決手段】二つ折り財布は、紙幣を収容する紙幣収容部と、硬貨を収容する硬貨収容部とを有し、紙幣収容部を二つ折りすることができるものであって、硬貨収容部は、紙幣収容部の外側に設けられ、底面１２２を紙幣収容部の側に、硬貨取出部１２４を底面の対向位置に設けたことを特徴とする。硬貨収容部に多くの硬貨を収容しても、二つ折り財布の外側に向かって膨らむため、紙幣収容部を折りたためないということがない。また、カードを収容したとしてもカードを圧迫しないのでカードの破損するおそれも軽減され、カードの量も多く入れられる。【選択図】図３
0003216868.tif 000002
【実用新案登録請求の範囲】
【請求項１】
紙幣を収容する紙幣収容部と硬貨を収容する硬貨収容部とを有し、前記紙幣収容部を二つ折りすることができる二つ折り財布であって、
前記硬貨収容部は、前記紙幣収容部の外側に設けられ、底面を紙幣収容部側に、硬貨取出部を前記底面の対向位置に設けたことを特徴とする、二つ折り財布。
【考案の詳細な説明】
【技術分野】
【０００１】
本考案は、紙幣を収容する紙幣収容部と硬貨を収容する硬貨収容部とを有し、紙幣収容部を二つ折りすることができる二つ折り財布に関する。
【背景技術】
【０００２】
二つ折り財布は、紙幣を収容する紙幣収容部と硬貨を収容する硬貨収容部とを有し、紙幣収容部の部分を二つ折りすることができる財布である。二つ折り財布には様々なものがあり、二つ折りされる部分にはカードを収容するカード収容部が設けられているタイプもある。また、硬貨収容部に多くの硬貨を入れられるように工夫された構造のものもある（例えば、非特許文献１参照）。
【０００３】
図４は、このような従来の二つ折り財布２００を示す図である。この二つ折り財布２００は、図４に示したように、紙幣収容部２１０と硬貨収容部２２０を有する。紙幣収容部２１０には、カード収容部２１２が設けられている。硬貨収容部２２０は、周囲が立ち上がる形態になっており、多くの硬貨を入れられるように工夫されている。硬貨収容部２２０は、紙幣収容部２１０の内側に設けられている。
【先行技術文献】
【非特許文献】
【０００４】
【非特許文献１】インターネット＜ＵＲＬ：https://www.amazon.co.jp/dp/B06Y1YCS92＞
【考案の概要】
【考案が解決しようとする課題】
【０００５】
図４に示したような従来の二つ折り財布では、硬貨収容部２２０が紙幣収容部２１０の内側に設けられているため、硬貨収容部２２０に多くの硬貨を入れると、膨らみが増して、紙幣収容部２１０を二つ折りしにくい。また、図４のようにカード収容部２１２が設けられているタイプでは、硬貨収容部２２０に硬貨を多く入れると、膨らみが増して、カードを圧迫し、カードを破損するおそれがある。従来の二つ折り財布にはこのような問題があった。
【０００６】
そこで本考案は、このような問題に鑑みてなされたものであり、その目的とするところは、多くの硬貨を入れた場合でも不具合が生じにくい二つ折り財布を提供することにある。
【課題を解決するための手段】
【０００７】
上記課題を解決するために、本考案によれば、紙幣（お札）を収容する紙幣収容部と硬貨（小銭）を収容する硬貨収容部とを有し、前記紙幣収容部を二つ折りすることができる二つ折り財布であって、前記硬貨収容部は、前記紙幣収容部の外側に設けられ、底面を紙幣収容部側に、硬貨取出部を前記底面の対向位置に設けたことを特徴とする、二つ折り財布が提供される。
【０００８】
かかる構成によれば、硬貨収容部に多くの硬貨を収容しても、二つ折り財布の外側に向かって膨らむため、紙幣収容部を折りたためないということがない。また、カードを収容したとしてもカードを圧迫しないのでカードの破損するおそれも軽減され、カードの量も多く入れられる。
【考案の効果】
【０００９】
本考案によれば、多くの硬貨を入れた場合でも不具合が生じにくい二つ折り財布が提供される。本考案のその他の効果については、以下の考案を実施するための形態の項でも説明する。
【図面の簡単な説明】
【００１０】
【図１】二つ折り財布１００の全体構成を概略的に示す図であり、（ａ）は正面図であり、（ｂ）は平面図である。
【図２】紙幣収容部１１０の構成を示す図であり、（ａ）は第１面と第２面が開かれた状態を示し、（ｂ）は第２面をめくったところであり、（ｃ）は第３面と第４面が開かれた状態を示す。
【図３】硬貨収容部１２０の構成を示す図であり、（ａ）は正面図であり、（ｂ）は側面図である。
【図４】従来の二つ折り財布２００の全体構成を示す図であり、（ａ）は紙幣収容部を示し、（ｂ）は小銭収容部を示す。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
本考案の一実施形態について、図１〜図３を参照しながら説明する。図１は、本実施形態に係る二つ折り財布１００の全体構成を概略的に示す図である。図２は、紙幣収容部１１０の構成を示す図である。図３は、硬貨収容部１２０の構成を示す図である。
【００１３】
本実施形態にかかる二つ折り財布１００は、図１（ａ）の正面図及び図１（ｂ）の平面図に示したように、紙幣を収容する紙幣収容部１１０と、硬貨を収容する硬貨収容部１２０とを有し、紙幣収容部１１０を二つ折りすることができる二つ折り財布である。そして、硬貨収容部１２０は、図１（ｂ）に示したように、紙幣収容部１１０の外側に設けられたことを特徴とする。二つ折り財布１００は、比較的硬質で厚みのある素材である革などで構成することができる。以下、各構成要素について詳細に説明する。
【００１４】
（紙幣収容部１１０）
図２は、紙幣収容部１１０の構成を示す図である。紙幣収容部１１０は、一般的な二つ折り財布における紙幣を収容する部分と同様の構成である。紙幣収容部１１０の内側には、図１に示したように、クレジットカードやキャッシュカード等のカードを収容することができるカード収容部１１２が設けられている。
【００１５】
紙幣収容部１１０は、図２に示したように、二つ折り財布のほぼ全長にわたって設けられており、二つ折り財布の大きさを決める部分である。紙幣収容部１１０の内側には、カード収容部１１２が設けられる４つの面が設けられる。図２（ａ）は、第１の面１１２ａ及び第２の面１１２ｂが上面にある状態を示す。そして、図２（ｂ）に示したように、第２の面１１２ｂをめくると、図２（ｃ）に示したように、第２の面１１２ｂの裏面である第３の面１１２ｃと第４の面１１２ｄが上面になる。第４の面１１２ｄの裏面には、後述する硬貨収容部１２０が設けられている。
【００１６】
（硬貨収容部１２０）
図３は、本実施形態に特徴的な硬貨収容部１２０の構成を示す図である。硬貨収容部１２０は、紙幣収容部１１０の外側に設けられている。そして、図３（ａ）の正面図及び図３（ｂ）の側面図に示したように、硬貨収容部１２０の底面１２２を紙幣収容部１１０側に設け、硬貨収容部１２０の硬貨取出部（解放面）１２４を底面１２２の対向位置に設けたことを特徴とする。
【００１７】
硬貨収容部１２０は、従来の二つ折り財布（図４）と設けられる位置が異なるものの、硬貨収容部１２０自体の形態は、従来の二つ折り財布と同様である。すなわち、硬貨収容部１２０の硬貨取出部１２４は、図３（ａ）及び図３（ｂ）に示したように、ホックを有する辺が立ち上がる形態になっており、多くの硬貨を収容することができるとともに、硬貨を取り出しやすい形態になっている。
【００１８】
以上、二つ折り財布１００の構成について説明した。次に、二つ折り財布１００の使用方法について説明する。
【００１９】
二つ折り財布１００には、紙幣（お札）やカードなどを紙幣収容部１１０に収容し、硬貨（小銭）などを硬貨収容部１２０に収容する。上述したように、硬貨収容部１２０には多くの硬貨を収容することができる。硬貨収容部１２０に多くの硬貨を収容しても、硬貨収容部１２０は外側に向かって膨らむため、財布を折りたためないということがない。
【００２０】
また、硬貨収容部１２０が外側に向かって膨らむことに加え、硬貨収容部１２０とカード収容部１１２との間が複数の層により隔たれているため、カード収容部１１２に収容されたカードは、硬貨収容部１２０に収容された硬貨の影響を受けにくい。すなわち、硬貨収容部１２０とカード収容部１１２との間は、硬貨収容部１２０の底面１２２と、紙幣収容部１１０の厚みと、紙幣収容部１１０に収容された紙幣とにより隔たれている。このように、カードを収容したとしてもカードを圧迫しないのでカードの破損するおそれも軽減され、カードの量も多く入れられる。
【００２１】
また、紙幣やカードや硬貨を収容した状態で、紙幣収容部１１０を下方にして手の平に置き、硬貨収容部１２０を上方に向けると、硬貨収容部１２０に硬貨を出し入れしやすい。二つ折り財布１００を硬貨入れのように使えるため、利便性が高い。
【００２２】
（本実施形態の効果）
以上説明したように、本実施形態の二つ折り財布１００によれば、硬貨収容部１２０に多くの硬貨を収容しても、二つ折り財布の外側に向かって膨らむため、紙幣収容部１１０を折りたためないということがない。また、カード収容部１１２にカードを収容したとしてもカードを圧迫しないのでカードの破損するおそれも軽減され、カードの量も多く入れられる。
【００２３】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２４】
例えば、上記実施形態では、カードを収容するカード収容部１１２を設けた構成について説明したが、本発明はこれに限定されず、カード収容部１１２を設けない構成であってもよい。また、カード収容部を設ける場合であっても、上記実施形態で説明したカード収容部１１２の形態に限定されない。
【００２５】
以上説明した実施形態・応用例・変形例等は、適宜組み合わせて実施することができる。
【産業上の利用可能性】
【００２６】
本考案は、紙幣を収容する紙幣収容部と硬貨を収容する硬貨収容部とを有し、紙幣収容部の部分を二つ折りすることができる二つ折り財布に利用可能である。
【符号の説明】
【００２７】
１００  二つ折り財布
１１０  紙幣収容部
１１２  カード収容部
１２０  硬貨収容部
１２２  硬貨収容部の底面
１２４  硬貨取出部
【図１】
0003216868.tif 000003
【図２】
0003216868.tif 000004
【図３】
0003216868.tif 000005
【図４】
0003216868.tif 000006